(57)【特許請求の範囲】
【請求項１】
撮像素子を有し、フィルムに記録された記録画像を前記撮像素子によって読取る画像読取手段と、
表示素子と、この表示素子を照明するための表示光源とを有し、前記画像読取手段により読取られた記録画像を前記表示素子に表示可能な画像表示手段と、
前記表示素子および前記画像読取手段と前記表示光源との間に介在し、前記表示光源からの光を前記表示素子および前記画像読取手段側に向けて出射する窓を有する本体とを備え、
前記窓が、前記本体の上面に形成されるとともに、記録画像を読取るための読取照明領域と前記表示素子を照明するための表示照明領域とに分割され、
前記撮像素子が前記窓と向かい合うように、前記画像読取手段が前記フィルムを介して前記読取照明領域上に配置され、
前記表示素子が、前記表示照明領域上に配置され、
前記表示素子が、前記表示照明領域上から離間するように、軸回転可能に支持されることを特徴とするフィルムスキャナ。
【請求項２】
前記読取照明領域上から離間するように前記画像読取手段を軸回転可能にする支持部材をさらに有することを特徴とする請求項１に記載のフィルムスキャナ。
【請求項３】
前記表示素子と前記撮像素子とが、配置された前記フィルムの長手方向に配列されていることを特徴とする請求項１に記載のフィルムスキャナ。
【請求項４】
前記表示素子と前記撮像素子とが、配置された前記フィルムの長手方向と直交する方向に配列されていることを特徴とする請求項１に記載のフィルムスキャナ。
【請求項５】
前記本体が、前記表示光源を内部に収容することを特徴とする請求項１に記載のフィルムスキャナ。
【請求項６】
前記表示素子が液晶表示パネルであることを特徴とする請求項１に記載のフィルムスキャナ。
【請求項７】
前記表示光源が、
１対の蛍光管と、
前記窓と向かい合うように前記一対の蛍光管の間に配置される導光板と、
前記一対の蛍光管に対してそれぞれ囲うように向かい合い、前記１対の蛍光管からの光を前記導光板へ導くＵ字型の１対のリフレクタと、
前記窓とは反対側で前記導光板と向かい合い、前記導光板からの光を反射する反射板と、
前記導光板からの光を拡散する拡散板とをさらに有し、
前記一対の蛍光管における第１のリフレクタが、前記画像読取手段と向かい合い、
前記第１の蛍光管を囲う第１のリフレクタが、前記画像読取手段の方向へ光を導くため、前記第１の蛍光管周りに軸回転可能であることを特徴とする請求項１に記載のフィルムスキャナ。
【請求項８】
前記撮像素子がラインセンサであり、
前記フィルムを前記窓上で搬送する搬送部材をさらに有することを特徴とする請求項１に記載のフィルムスキャナ。
【発明の詳細な説明】
【０００１】
【発明の属する技術分野】
本発明は、例えばカラー液晶ディスプレイを有するフィルムスキャナに関する。
【０００２】
【従来の技術】
従来フィルムに記録された記録画像を読取るフィルムスキャナにおいて、記録画像は、フィルムスキャナに接続されたコンピュータのディスプレイに表示されていた。このフィルムスキャナでは、ラインセンサ等の撮像素子とラインセンサを露光するための読取用光源とを備え、読取用の光源から出射された光がフィルムを介してラインセンサにより検出され、電気的な画像信号に変換される。記録画像を表示する際には、この画像信号がコンピュータに取り込まれ、この信号に基づく画像がコンピュータのディスプレイに表示される。
【０００３】
【発明が解決しようとする課題】
このように画像を表示する際、フィルムスキャナにコンピュータを接続する必要があり、画像表示の操作が不便であり、また携帯時に画像を表示するためには、コンピュータも携帯する必要があった。そこでフィルムスキャナに画像表示装置を設けるものが考えられ、この画像表示装置として比較的小型で携帯性の良い液晶ディスプレイが考えられる。しかしながらフィルムスキャナに画像表示装置を設けると、部品数が増加し、フィルムスキャナの装置全体が大型化してしまう。
【０００４】
一方液晶ディスプレイには、ディスプレイの表示を見やすくするために、液晶パネルを照明するためのバックライトが搭載されており、発明者はこのバックライトを読取用光源として使用することに着眼した。このバックライトを読取用光源として使用することによって、画像表示装置を設けることにより増加する部品点数が削減され、フィルムスキャナの装置全体の大型化が最小限に押さえられる。
【０００５】
本発明は、カラー液晶ディスプレイ等の画像表示装置を有するフィルムスキャナの部品点数を削減することを目的とする。
【０００６】
【課題を解決するための手段】
本発明に係るフィルムスキャナは、フィルムに記録された記録画像を撮像素子を用いて読取る画像読取手段と、表示素子と、この表示素子を照明するための表示光源とを有し、画像読取手段により読取られた記録画像を表示素子に表示可能な画像表示手段とを備え、画像読取手段が、表示光源より出射された光がフィルムを介して撮像素子により検出されることによって記録画像を読取ることを特徴としている。
【０００７】
好ましくは、表示光源が照明可能である照明領域が、表示素子を照明する表示照明領域と、フィルムを介して撮像素子により検出される光を出射する読取照明領域とに分割される。好ましくは、画像読取手段はフィルムに記録された記録画像を読取るとき、表示光源が有する第１の面側に表示素子が設けられ、第１の面側にフィルムが配置される。この場合表示素子と撮像素子とが配置されたフィルムの長手方向に配列されている。あるいは表示素子と前記撮像素子とが配置されたフィルムの長手方向と直交する方向に配列されている。
【０００８】
好ましくは、画像読取手段はフィルムに記録された記録画像を読取るとき、表示光源が有する第１の面側には表示素子が設けられ、表示光源が有する第１の面とは異なる第２の面側にはフィルムが配置される。
【０００９】
表示素子は液晶表示パネルである。例えばフィルムは透過型フィルムである。また撮像素子はラインセンサである。
【００１０】
【発明の実施の形態】
以下、本発明の第１の実施形態を図面を参照して説明する。
図１は、本発明の第１の実施形態であるフィルムスキャナを示す斜視図であって、フィルムを装着した図である。図２は液晶表示部材をバックライトから離間させた状態のフィルムスキャナを示す斜視図である。図３は液晶表示部材と読取部材とをバックライトから離間させた状態のフィルムスキャナを示す斜視図である。
【００１１】
フィルムスキャナ１０は、フィルムＦに記録された画像（記録画像）を読取る装置であって、本体２０と液晶表示部材３０と読取部材４０とにより構成される。
【００１２】
本体２０の上面２０ａには、窓２１が形成されており、本体２０の内側で窓２０ａに対応する位置には、液晶表示部材３０を照明するためのバックライト２２が設けられる。このバックライト２２は例えば平面蛍光管であり、バックライト２２の蛍光により光が窓２１から出射される。
【００１３】
本体２０の上面２０ａから突出した支持部２０ｂには、液晶表示部材３０と読取部材４０とが相互に独立して矢印Ａ方向に回動可能に支持される。液晶表示部材３０には、画像が表示される液晶表示パネル３１が設けられ、液晶表示部材３０が本体２０の上面２０ａに接した状態（図１に示す画像表示状態）のとき、液晶表示パネル３１は窓２１の液晶表示パネル３１に対応する表示照明領域２１ｂにおいてバックライト２２から出射された光により照明される。
【００１４】
読取部材４０の本体２０側の面（以下裏面という）４０ａには、フィルムＦに記録された記録画像を読取るための撮像素子４１が設けられる。この撮像素子４１はラインセンサであり、読取部材４０の裏面４０ａが本体２０の上面２０ａに近接した状態（図１、図２に示す画像読取状態）のとき、本体２０の窓２１に対向するように設けられる。
【００１５】
フィルムＦは透過型のネガまたはポジフィルムであり、窓２１の読取部材４０に対応する読取照明領域２１ａでは、バックライト２２から出射された光がフィルムＦを透過してラインセンサ４１により検出される。
【００１６】
読取部材４０の裏面４０ａには、フィルムＦを搬送するための搬送部材４２が読取部材４０長手方向の両端に設けられている。搬送部材４２は例えばゴムローラであって、図示しないモータの駆動により回転せしめられ、これによりフィルムＦが窓２１上を矢印Ｂ方向に間欠的に搬送される。
【００１７】
液晶表示部材３０と画像読取部材４０の配置とフィルムスキャナ１０の動作について説明する。
【００１８】
フィルムＦの記録画像を読取る場合、図１または図２に示すように液晶表示部材３０と読取部材４０とが画像読取状態に定められ、フィルムＦが画像読取部材４０と本体２０との間に配置される。この状態でラインセンサ４１がフィルムＦに記録された記録画像を読取る。図１に示すように液晶表示部材３０が画像表示状態に配置されているとき、液晶表示パネル３１の下側にはフィルムＦが存在する。したがって画像読取部材４０により記録画像の読取が行われている間、下側にフィルムＦが存在しない液晶表示パネル３１の文字領域３１ｂのみが表示可能な領域であり、この文字領域３１ｂには、画像読取中の情報、例えば記録画像がどの程度読取られたかを示す割合が表示可能である。
【００１９】
これに対し、図２に示すように液晶表示部材３０が本体２０の上面２０ａから離間せしめられているとき、窓２１の画像読取部材４０により覆われていない領域では、バックライト２２から出射された光がフィルムＦを照明する。したがって操作者はフィルムＦの記録画像を確認可能であり、次に読取るべき記録画像が選択可能である。
【００２０】
フィルムＦの記録画像の確認のみを行う場合、図３に示すように液晶表示部材３０と画像読取部材４０とが本体２０の上面２０ａから離間せしめられた状態に配置される。操作者は窓２１の全域でフィルムＦの記録画像を確認可能であり、読取るべき記録画像が選択可能である。
【００２１】
記録画像を表示する場合、操作者により、液晶表示部材３０が図１に示す画像表示状態に配置される。但し画像読取部材４０を図１に示すような画像読取状態に配置する必要はなく、またフィルムＦは装着されない。したがってこの状態ではバックライト２２の光は直接液晶表示パネル３１を照明する。これにより操作者は画像表示パネル３１に表示された記録画像を見ることが可能である。
【００２２】
図３、図４を参照してフィルムスキャナ１０の電気的構成について説明する。図４は、フィルムスキャナ１０を示すブロック図である。フィルムスキャナ１０は、ＣＰＵ５０により動作を制御される。
【００２３】
フィルムＦの記録画像の画像の読取および表示と、確認の各動作の選択は、操作者が操作部５６に設けられるスイッチ等（図１から図３には図示せず）を切替えることにより行なわれる。あるいは操作部５６を設けず、画像読取部材４０と画像表示部材３０の配置をＣＰＵ５０により検知して、動作を切替える構成としてもよい。
【００２４】
フィルムＦの上側には、ラインセンサ４１と、液晶表示パネル３１とが設けられる。フィルムＦの下側には、バックライト２２が設けられる。バックライト２２の点灯は液晶表示ドライバ５１により制御される。
【００２５】
操作部５６のスイッチが記録画像を読取るための状態に切替えられた場合、バックライト２２から出射された光がフィルムＦを透過してラインセンサ４１を露光し、ラインセンサ４１によりフィルムＦの記録画像が図４の紙面に垂直な方向（ラインセンサ４１の長手方向）の１ライン分だけ読取られる。
【００２６】
フィルムＦは搬送部材４２が駆動回路４３により駆動されることによって、矢印Ｂ方向に間欠的に搬送され、ラインセンサ４１により１画像分の画像が読取られる。このラインセンサ４１の駆動は画像処理回路４３に設けられる駆動回路により制御される。なおラインセンサ４１が矢印Ｂ方向に間欠的に搬送される構成としてもよい。
【００２７】
フィルムＦを透過した光は、ラインセンサ４１により検出され、電気的な画像信号に変換される。この画像信号は画像処理回路５３においてアナログ信号からデジタル信号に変換され、さらにシェーディング補正、補間処理等の処理を施され、この信号に基づく画像データが、メモリ５４に一旦格納される。
【００２８】
操作部５６のスイッチが記録画像を表示するための状態に切替えられた場合、画像データがメモリ５４から読出され、このデータにより構成される画像信号がエンコーダ５２において液晶表示パネル３１に適合した信号に変換され、さらに色調整、輪郭強調等の処理を施される。変換および処理を施された画像信号に基づく画像が、液晶表示ドライバ５１によって液晶表示パネル３１に表示され、バックライト２２により液晶表示パネル３１が照明される。
【００２９】
なおラインセンサ４１により画像が読取られている間、ＣＰＵ５０において画像がどの程度読取られたかを示す割合が算出され、この割合を示す文字データがエンコーダ５２に転送され、液晶表示ドライバ５１によって文字データに対応する文字が液晶表示パネル３１の図１に示す文字領域３１ｂに表示される。
【００３０】
操作部５６のスイッチが記録画像を確認するための状態に切替えられた場合、バックライト２２が液晶表示ドライバ５１により点灯せしめられ、本体２０の窓２１において、操作者によりフィルムＦの記録画像が確認される。
【００３１】
フィルムスキャナ１０（図１参照）では、液晶表示パネル３１に読取った画像を表示するとともに、ビデオあるいはコンピュータ等の外部装置にも画像を表示することが可能である。
【００３２】
ビデオがフィルムスキャナ１０に接続されているとき、エンコーダ５２においてメモリ５４から読出された画像データにより構成される画像信号がビデオ信号に変換され、ビデオへ出力される。
【００３３】
コンピュータ等の外部装置がフィルムスキャナ１０に接続されているとき、ＣＰＵ５０によりメモリ５４から画像データが読出され、このデータにより構成されるデジタル画像信号がインターフェース５５において外部装置に対応する信号に変換され、外部装置へ出力される。
【００３４】
以上の第１の実施形態によれば、フィルムスキャナ１０には液晶表示部材３０が設けられ、読取ったフィルムＦの記録画像が液晶表示部材３０に表示されるため、読取った記録画像を表示する際、コンピュータ等の外部装置を接続する必要がなく、表示操作が容易であり、また携帯時に記録画像を表示するために外部装置を携帯する必要もなく、携帯性が向上する。また液晶表示部材３０の液晶表示パネル３１を照明するためのバックライト２２がラインセンサ４１を露光するための読取用光源としても使用される。したがってバックライト２２とは別に読取用の光源を設ける必要がなく、液晶表示部材３０を有するフィルムスキャナ１０の部品点数が削減される。
【００３５】
図５、図６を参照して第２の実施形態について説明する。第２の実施形態が第１の実施形態と異なる点はバックライトの構成が異なる点であり、他の点は同様である。以下異なる点についてのみ説明する。
【００３６】
図５は第２の実施形態のフィルムスキャナに設けられるバックライト６０と液晶表示パネル３１とラインセンサ４１とを示す模式図であって、液晶表示パネル３１が画像表示状態に配置され、ラインセンサ４１が画像読取状態に配置された状態を示す図である。図６は画像読取を行う場合の第２の実施形態のフィルムスキャナに設けられるバックライト６０と液晶表示パネル３１とラインセンサ４１とを示す模式図である。
【００３７】
バックライト６０はエッジライト方式のライトであり、１対の蛍光管６２を有する。各蛍光管６２に対向して反射板であるリフレクタ６３、６４がそれぞれ設けられ、この蛍光管６２から出射される光は所定の方向にのみ反射される。リフレクタ６４は一方の蛍光管６２に対して固定されており、リフレクタ６３は他方の蛍光管６２を中心に矢印Ｃ方向に回動可能である。
【００３８】
１対の蛍光管６２の相互間には導光板６６が設けられ、導光板６６の上側には拡散板６１が配置され、導光板６６の下側には反射板６５が配置される。リフレクタ６３、６４により反射された光は導光板６６の内部を伝送され、反射板６５により反射される。この反射光および導光板６６による伝送光は、拡散板６１によりこの板６１の上側へと拡散される。
【００３９】
画像を表示する場合、図５に示すように液晶表示パネル３１はバックライト６０の上側に配置され、拡散板６１によって拡散された光により照明される。これにより操作者は液晶表示パネル３１に表示された画像を見ることができる。
【００４０】
画像を読取る場合、図６に示すようにラインセンサ４１はバックライト６０の上側に配置され、フィルムＦはバックライト６０とラインセンサ４１との間に装着される。さらにリフレクタ６３は矢印Ｃ方向に回動せしめられ、リフレクタ６３による反射光がラインセンサ４１を照明するように配置される。
【００４１】
蛍光管６２から出射された光はリフレクタ６３により反射され、フィルムＦを介してラインセンサ４１により検出される。これによりフィルムＦの記録画像がラインセンサ４１の長手方向に１ライン分読取られ、フィルムＦが矢印Ｂ方向に間欠的に搬送されることにより１画像分の記録画像が読取られる。
【００４２】
以上の第２の実施形態によれば、第１の実施形態と同様にフィルムスキャナには液晶表示部材が設けられ、読取ったフィルムＦの記録画像が液晶表示部材に表示可能であり、表示操作が容易である。また携帯性も向上する。さらに液晶表示パネル３１を照明するためのバックライト６０が読取用光源として使用されるため、液晶表示部材を有するフィルムスキャナの部品点数が削減される。
【００４３】
さらにバックライト６０が蛍光管６２と回動可能なリフレクタ６３を有し、フィルムＦの記録画像を読取る際には、リフレクタ６３を回転することによりラインセンサ４１が検出に充分な光量の光によって露光されるため、記録画像が高精度に読取られる。なおリフレクタ６３を変形可能な構成、例えばリフレクタ６３の一部を開閉可能にする構成にして、リフレクタ６３を変形させることにより蛍光管６２から出射された光をラインセンサ４１に照射させる構成としてもよい。
【００４４】
図７、図８を参照して第３の実施形態について説明する。第３の実施形態が第１の実施形態と異なる点はバックライトの構成とラインセンサの配置であり、その他の点は同様である。以下異なる点についてのみ説明する。
【００４５】
図７は第３の実施形態のフィルムスキャナに設けられる液晶表示部材３０とバックライト７１とラインセンサ４１とを示す模式図である。図８は、液晶表示部材３０とバックライト７１とラインセンサ４１とを図７に示す矢印Ｄ方向から見た図である。なお図７、図８は液晶表示部材３０が画像表示状態に配置され、ラインセンサ４１が画像読取状態に配置された図である。
【００４６】
バックライト７１の上側には、液晶表示部材３０が配設され、液晶表示部材３０には液晶表示パネル３１が設けられる。バックライト７１の下側には、ラインセンサ４１が配設され、フィルムＦの記録画像を読取る際、フィルムＦはラインセンサ４１とバックライト７１の間に配置される。
【００４７】
バックライト７１は、平面蛍光管７３と、この蛍光管７３の上下に設けられる拡散板７２、７４とにより構成される。平面蛍光管７３から出射された光は拡散板７２により拡散され、この光により液晶表示部材３０の液晶表示パネル３１が照明される。さらに平面蛍光管７３から出射された光は拡散板７４により拡散され、フィルムＦを介してラインセンサ４１を照明する。
【００４８】
フィルムＦの記録画像を読取っている間、液晶表示パネル３１に表示された画像がラインセンサ４１による検出に影響を及ぼさないように、液晶表示パネル３１のラインセンサ４１に対応するセンサ領域３１ａが黒色で表示される。このセンサ領域３１ａ以外の表示領域３１ｂには、液晶表示パネル３１とバックライト７１との間にフィルムＦが存在しないため、画像が表示可能である。
【００４９】
以上の第３の実施形態によれば、第１の実施形態と同様にフィルムスキャナには液晶表示部材が設けられ、読取ったフィルムＦの記録画像が液晶表示部材に表示可能であり、表示操作が容易である。また携帯性も向上する。さらに液晶表示パネル３１を照明するためのバックライト７１が読取用光源として使用されるため、液晶表示部材を有するフィルムスキャナの部品点数が削減される。
【００５０】
さらにバックライト７１が拡散板７２、７４を有し、上下双方向に光を出射するため、液晶表示部材３０とラインセンサ４１とがバックライト７１を挟んで上下に設けられる。これによりフィルムＦの記録画像を読取る際、液晶表示部材３０とバックライト７１との間には、フィルムＦが存在しないため、画像読取中にも画像が液晶表示部材３０の表示領域３１ｂに表示可能である。
【００５１】
図９を参照して第４の実施形態について説明する。第４の実施形態が第１の実施形態と異なる点は、プリズムを設け、ラインセンサの配置を変えた点であり、その他の点は同様である。以下異なる点についてのみ説明する。図９は第４の実施形態のフィルムスキャナを示す模式図であって、画像の表示および読取を行うときの状態を示す図である。
【００５２】
バックライト８０は平面蛍光管８２とこの蛍光管８２の底面と側面に設けられる反射板８１とから成る。平面蛍光管８２から出射された光は反射板８１により図中上方へ反射される。バックライト８０の上側には、拡散板８３とプリズム８４とが設けられ、拡散板８３の上側には液晶表示パネル３１が設けられる。バックライト８０により液晶表示パネル３１の全面が照明され、バックライト８０から出射される光の一部はプリズム８４により屈折され、拡散板８５を介してバックライト８０の下側に設けられるラインセンサ４１を照明する。
【００５３】
フィルムＦはラインセンサ４１と拡散板８５との間に配置されるため、画像の読取の際、バックライト８０と液晶表示パネル３１との間にはフィルムＦは存在せず、液晶表示パネル３１に画像は表示可能である。
【００５４】
以上の第４の実施形態によれば、第１の実施形態と同様にフィルムスキャナには液晶表示部材が設けられ、読取ったフィルムＦの記録画像が液晶表示部材に表示可能であり、表示操作が容易であり、携帯性もよい。また液晶表示パネル３１を照明するためのバックライト８０がラインセンサ４１を露光するための読取用光源としても使用される。したがって液晶表示部材を有するフィルムスキャナの部品点数が削減される。
【００５５】
さらにプリズム８４を設けることによりラインセンサ４１をバックライト８０の下側に設けることが可能となる。これによりフィルムＦの記録画像を読取る際、液晶表示パネル３１とバックライト８０との間には、フィルムＦが存在しないため、画像読取中にも画像が液晶表示パネル３１に表示可能である。
【００５６】
図１０を参照して第５の実施形態について説明する。第５の実施形態が第１の実施形態と異なる点は、バックライトの構成と読取部材の構成であり、その他の点は同様である。以下異なる点についてのみ説明する。図１０は第５の実施形態のフィルムスキャナ９０を示す斜視図である。
【００５７】
フィルムスキャナ９０は本体９１と液晶表示部材３０と読取部材４０とにより構成される。本体９１の上面には窓９２が形成され、本体９１の内部で窓９２に対応する位置にはバックライト９３が設けられている。本体９１の上側には、液晶表示部材３０が固定され、液晶表示部材３０には液晶表示パネル３１が設けられ、バックライト９３から出射された光により液晶表示パネル３１が照明される。
【００５８】
また本体９１の上側には、読取部材４０が本体９１ａに形成された支持部９１ａを中心に矢印Ｊ方向に回動可能に設けられ、読取部材４０には、第１の実施形態と同様に図示しないラインセンサとフィルムＦを搬送するための搬送部材（図示せず）が設けられる。
【００５９】
画像読取の際、読取部材４０と本体９１の間にフィルムＦが配置され、搬送部材によりフィルムＦが矢印Ｇ方向に間欠的に搬送され、これによりフィルムＦの記録画像が読取部材４０の長手方向の１ライン毎にラインセンサにより読取られる。したがって液晶表示部材３０の下側にはフィルムＦは存在せず、画像読取中でも画像を表示するために液晶表示部材３０を使用することが可能である。
【００６０】
以上の第５の実施形態によれば、第１の実施形態と同様にフィルムスキャナ９０には液晶表示部材３０が設けられ、読取ったフィルムＦの記録画像が液晶表示部材３０に表示可能であり、表示操作が容易であり、携帯性もよい。また液晶表示部材３０を有するフィルムスキャナの部品点数が削減される。
【００６１】
さらに配置されたフィルムＦの長手方向（矢印Ｇ方向）と直交する方向に隣接するように読取部材４０と液晶表示部材３０とが設けられるため、液晶表示部材３０の下側にはフィルムＦが存在せず、画像読取中でも液晶表示パネル３１が画像を表示するために使用可能である。
【００６２】
図１１を参照して第６の実施形態について説明する。第６の実施形態が第１の実施形態と異なる点はバックライトとラインセンサと液晶表示パネルの相互配置であり、その他の点は同様である。以下異なる点についてのみ説明する。図１１は第６の実施形態のフィルムスキャナ１００を示す斜視図である。
【００６３】
フィルムスキャナ１００は、本体１０１と読取部材１０４と液晶表示部材１０５により構成される。本体１０１の上面には窓１０２が形成され、本体１０１の内部で窓１０２に対応する位置には、バックライト１０３が設けられる。
【００６４】
本体１０１の上側の一方の端部には、読取部材１０４が支持部１０４ａを中心に矢印Ｋ方向に回動可能に設けられ、読取部材１０４にはラインセンサ１０７が設けられる。本体１０１の上側で支持部１０４ａとは反対側の端部には、液晶表示部材１０５が支持部１０５ａを中心に矢印Ｍ方向に回動可能に設けられ、液晶表示部材１０５には液晶表示パネル１０６が設けられる。
【００６５】
フィルムに記録された記録画像を読取る場合、読取部材１０４が破線で示す状態に定められ、この読取部材１０４と本体１０１との間にのみフィルムが配置される。バックライト１０３から出射された光はフィルムＦを介してラインセンサ１０７を照明し、ラインセンサ１０７が矢印Ｎ方向に間欠的に搬送され、これにより記録画像が読取られる。なおフィルムの長手方向は矢印Ｎ方向に平行である。
【００６６】
画像を表示する場合、液晶表示部材１０５が破線で示す状態に配置され、バックライト１０３から出射された光により液晶表示パネル１０６が照明される。なお画像読取中、フィルムが液晶表示部材１０５の下側に存在しないため、液晶表示部材１０５を画像表示に使用することが可能である。
【００６７】
以上の第６の実施形態によれば、第１の実施形態と同様の効果が得られる。さらにラインセンサ１０７の搬送方向（矢印Ｎ方向）すなわちフィルムの長手方向と直交する方向に隣接するように読取部材１０４と液晶表示部材１０５とが設けられるため、液晶表示部材１０４の下側にはフィルムＦが存在せず、画像読取中でも液晶表示パネル１０６が画像を表示するために使用可能であり、液晶表示部材１０５と読取部材１０４を図１１に実線で示す状態に配置することにより、比較的広い面積の窓１０２を用いて同時に複数のフィルムＦの記録画像が確認可能である。
【００６８】
【発明の効果】
以上のように本発明によれば、カラー液晶ディスプレイ等の画像表示装置を有するフィルムスキャナの部品点数が削減される。
【図面の簡単な説明】
【図１】本発明の第１の実施形態であるフィルムスキャナを示す斜視図である。
【図２】液晶表示部材をバックライトから離間させた状態のフィルムスキャナを示す斜視図である。
【図３】液晶表示部材と読取部材とをバックライトから離間させた状態のフィルムスキャナを示す斜視図である  。
【図４】フィルムスキャナを示すブロック図である。
【図５】第２の実施形態のフィルムスキャナに設けられるバックライトと液晶表示パネルとラインセンサとを示す模式図である。
【図６】画像読取を行う場合の第２の実施形態のフィルムスキャナに設けられるバックライトと液晶表示パネルとラインセンサとを示す模式図である。
【図７】第３の実施形態のフィルムスキャナに設けられる液晶表示部材とバックライトとラインセンサとを示す模式図である。
【図８】液晶表示部材とバックライトとラインセンサとを図７に示す矢印Ｄ方向から見た図である。
【図９】第４の実施形態のフィルムスキャナを示す模式図である。
【図１０】第５の実施形態のフィルムスキャナを示す斜視図である。
【図１１】第６の実施形態のフィルムスキャナを示す斜視図である。
【符号の説明】
４０  読取部材（画像読取手段）
３１  液晶表示パネル（表示素子）
４１  ラインセンサ（撮像素子）
２２  バックライト（表示光源）
Ｆ  フィルム
【図１】
0003728102.tif 000002
【図２】
0003728102.tif 000003
【図３】
0003728102.tif 000004
【図４】
0003728102.tif 000005
【図５】
0003728102.tif 000006
【図６】
0003728102.tif 000007
【図７】
0003728102.tif 000008
【図８】
0003728102.tif 000009
【図９】
0003728102.tif 000010
【図１０】
0003728102.tif 000011
【図１１】
0003728102.tif 000012